(57)【要約】      （修正有）【課題】複数の設計仕様が存在する場合において、設計者の作業負荷を軽減させることが可能なヘッドアップディスプレイ装置の提供する。【解決手段】ヘッドアップディスプレイ装置Ａは、第一のコネクタ４０ａ，４３ｂを有する第一の回路基板４０，４３を有する光源ユニット４と、第一のコネクタ４０ａ，４３ｂと対となる第二のコネクタ６ａ，６ｂを有し光源ユニット４を制御する第二の回路基板６と、フレキシブルフラットケーブル８０，８１と、光源ユニット４の光を反射する反射体と、反射体を収容する収容部を有するケース体２と、を備え、第一の回路基板４０，４３と第二の回路基板６は、収容部外に配設され、フレキシブルフラットケーブル８０，８１は、配線のピッチ方向に跨いで屈曲するＬ字の屈曲部８００，８１０を有して第一の回路基板４０，４３と第二の回路基板６とを接続した。【選択図】図３
2016045388.tif 000002
【特許請求の範囲】
【請求項１】
第一の回路基板を有する光源ユニットと、
前記光源ユニットを制御する第二の回路基板と、
前記第一の回路基板と前記第二の回路基板とを電気的に接続するフレキシブルフラットケーブルと、
前記光源ユニットの光を反射する反射体と、
前記反射体を収容する収容部を有するケース体と、を備えたヘッドアップディスプレイ装置であって、
前記第一の回路基板と前記第二の回路基板は、前記収容部外に配設され、
前記フレキシブルフラットケーブルは、配線のピッチ方向に跨いで屈曲する屈曲部を有する
ことを特徴とするヘッドアップディスプレイ装置。
【請求項２】
前記フレキシブルフラットケーブルは、蛇腹状の屈曲部を有する
ことを特徴とする請求項１に記載のヘッドアップディスプレイ装置。
【発明の詳細な説明】
【技術分野】
【０００１】
本発明は、表示器（表示素子）が発した表示光を車両のフロントガラス等の投影部材に投影し、観察者に虚像表示を行うヘッドアップディスプレイ（ＨＵＤ）装置に関するものである。
【背景技術】
【０００２】
従来より、この種のＨＵＤ装置にあっては、車両のインストルメントパネル内部に収容されており、車両のフロントガラス（投影部材）に表示器からの表示光を投影して虚像表示を行うものが知られている。
【０００３】
ＨＵＤ装置においては、機種バリエーションに応じて、フロントガラスの曲率などに起因する観察者（運転者）が虚像表示を視認することができる範囲が異なるため設計変更が必要となる。これに対し、設計変更作業を軽減するための構成が例えば特許文献１に開示されている。
【先行技術文献】
【特許文献】
【０００４】
【特許文献１】特開２０１０−１９７９８７号公報
【発明の概要】
【発明が解決しようとする課題】
【０００５】
しかしながら、機種バリエーションに応じた設計変更作業には、ＨＵＤ装置を収容可能なインストルメントパネル内の容積やその形状の違いによって、回路基板同士の配線の引き回し関係が変わってしまい、回路基板同士の配線を適宜専用設計しなければならず、設計者の作業負荷が増大してしまうという問題があった。
特に、凹面鏡や平面鏡などの反射体によって、虚像の結像距離や虚像の表示面積を増大させるようなヘッドアップディスプレイ装置の構成においては、反射体の位置関係を定めて表示光の光路を確保した後に、虚像の光源となる光源ユニットやその制御回路基板などの配置を検討することが一般的であり、光源ユニットの駆動回路基板と制御回路基板との配線の引き回しが機種毎に異なる場合が多く、回路基板同士を接続する配線を機種毎に再設計する必要があった。
【０００６】
本発明は、上述した課題を鑑みてなされたものであり、複数の設計仕様が存在する場合において、設計者の作業負荷を軽減させることが可能なヘッドアップディスプレイ装置の提供を目的とする。
【課題を解決するための手段】
【０００７】
本発明に係るヘッドアップディスプレイ装置Ａは、
第一の回路基板４０、４３を有する光源ユニット４と、
前記光源ユニット４を制御する第二の回路基板６と、
前記第一の回路基板４０、４３と前記第二の回路基板６とを電気的に接続するフレキシブルフラットケーブル８０、８１と、
前記光源ユニット４の光Ｌを反射する反射体３と、
前記反射体３を収容する収容部２１を有するケース体２と、を備えたヘッドアップディスプレイ装置Ａであって、
前記第一の回路基板４０、４３と前記第二の回路基板６は、前記収容部２１外に配設され、
前記フレキシブルフラットケーブル８０、８１は、配線のピッチ方向に跨いで屈曲する屈曲部８００、８０１を有する。
【０００８】
本発明に係るヘッドアップディスプレイ装置Ａは、好ましくは、
前記フレキシブルフラットケーブル８０、８１が、蛇腹状の屈曲部８０１、８１１を有する。
【発明の効果】
【０００９】
本発明によれば、複数の設計仕様が存在する場合において、設計者の作業負荷を軽減させることが可能なヘッドアップディスプレイ装置の提供できる。
【図面の簡単な説明】
【００１０】
【図１】本発明の実施形態に係るヘッドアップディスプレイ装置の構成概略図。
【図２】同実施形態のヘッドアップディスプレイ装置の斜視図。
【図３】同実施形態のヘッドアップディスプレイ装置の回路基板の配置および配線を示す斜視図。
【図４】同実施形態のヘッドアップディスプレイ装置のバックライト基板と制御基板とを接続するフレキシブルフラットケーブルの変形例を示す図。
【図５】同実施形態のヘッドアップディスプレイ装置の液晶駆動基板と制御基板とを接続するフレキシブルフラットケーブルの変形例を示す図。
【発明を実施するための形態】
【００１１】
本発明に係るヘッドアップディスプレイ装置Ａは、出光部１０を有する第１カバー１と、ケース体２と、反射体３と、光源ユニット４と、第２カバー５と、制御基板６と、第３カバー７と、を備え、光源ユニット４が発した表示光Ｌを反射体３に反射させて出光部１０から出射する表示装置である。
このヘッドアップディスプレイ装置Ａは、車両に搭載され、車両の運転席側のフロントガラス（ウィンドシールド）に表示光Ｌを投射することで、フロントガラス前方に虚像を映し出す。例えば、車両の走行速度などからなる計器画像を表示光Ｌとしてフロントガラスに投射することで、運転者は運転時に視線を前方に向けたまま、フロントガラス越しに車外の風景と共に車両情報を確認することができる。
【００１２】
第１カバー１は、例えばポリエチレンテレフタラート（ＰＥＴ）やポリカーボネート（ＰＣ）などの樹脂製の蓋である。また、第１カバー１は、アクリル樹脂などの透光性樹脂からなる出光部１０を有する。
【００１３】
ケース体２は、例えば、アルミニウムを金型鋳造したケースからなる。ケース体２には、光源ユニット４が発した表示光Ｌを取り込む入光部２０を、反射体３を収容する収容部２１に形成し、第１カバー１と嵌合する。入光部２０から取り込まれた表示光Ｌは、収容部２１に収容された反射体３に反射して、第１カバー１の出光部１０を透過してフロントガラスに照射される。
【００１４】
反射体３は、平面鏡３０と、凹面鏡３１からなる。凹面鏡３１は、駆動ユニット３１０の動力によって回転軸３１ａを中心に回動可能となっており、フロントガラスに投射される表示光Ｌの位置を垂直方向に調整することができる。
【００１５】
光源ユニット４は、バックライト基板４０と、平面鏡４１と、液晶パネル４２と、液晶駆動基板４３と、をケーシングしたユニットであり、ケース体２の収容部２１の外部から入光部２０に液晶パネル４２が配置するように、ケース体２に螺子固定される。
【００１６】
バックライト基板４０は、光源となるＬＥＤ（Light Emitting Diode）を実装した回路基板からなり、制御基板６の制御に応じた輝度で表示光Ｌを投射する。また、バックライト基板４０は、ＬＥＤを実装した面を平面鏡４１に向け、ＬＥＤを実装していない面（裏面）をケース体２に接して配置される。
【００１７】
平面鏡４１は、バックライト基板４０が発した表示光Ｌを液晶パネル４２の裏面へ反射する。
【００１８】
液晶パネル４２は、例えばＴＦＴ（Thin Film Transistor）型の液晶パネルからなり、表面がケース体２の入光部２０に向くように配置される。また、液晶パネル４２は、複数の各画素毎に透過度合を可変して、バックライト基板４０からの表示光を画素毎に適宜透過させてケース体２の入光部２０に出射する。
【００１９】
液晶駆動基板４３は、液晶パネル４２を駆動する駆動回路が実装された回路基板で、制御基板６の制御に応じて液晶パネル４２の各画素の透過度合を変更して、所定の画像が表示光Ｌとして出射されるように、液晶パネル４２を駆動する。
【００２０】
第２カバー５は、例えば、ポリプロピレン（ＰＰ）などの不透明な樹脂からなり、光源ユニット４を覆ってケース体２に螺子固定される。
【００２１】
制御基板６は、バックライト基板４０と、液晶駆動基板４３と、ＣＡＮ（Controller Area Network）と電気的に接続されており、ＣＡＮから取得した車両の走行速度などの車両情報を計器画像として構成し、バックライト基板４０と液晶駆動基板４３を制御して、当該計器画像を表示光Ｌとして光源ユニット４に出射させる。
また、制御基板６は、駆動ユニット３１０とも電気的に接続しており、駆動ユニット３１０を制御して、凹面鏡３１を回転軸３１ａを中心に回動させてフロントガラスの上下方向における虚像の結像位置を調整して、運転者のアイポイントの高さに虚像の位置を合わせるように調整可能とする。
【００２２】
第３カバー７は、例えば、アルミニウム製の扁平な箱形のカバーからなり、制御基板６と外界との電磁波の影響を遮断するように、制御基板６を覆ってケース体２に螺子固定される。
【００２３】
（回路基板４０，４３，６の配置および配線の引き回し）
次に、バックライト基板４０、液晶駆動基板４３、制御基板６の配置および配線の引き回しについて、図３に基づいて説明する。
図３（ａ）は、バックライト基板４０と液晶駆動基板４３を備えた光源ユニット４と制御基板６のケース体２への取付位置を示す斜視図であり、図３（ｂ）は、バックライト基板４１と液晶駆動基板４３と制御基板６の配置および配線を示す斜視図である。
【００２４】
図３（ａ）に示すように、光源ユニット４と制御基板６は、ケース体２の収容部２１の外部に固定され、それぞれ第２カバー５と第３カバー７によって覆われる。
【００２５】
バックライト基板４０には回路基板側が接点となる片接点型のコネクタ４０ａが実装されており、同様に、液晶駆動基板４３には回路基板側が接点となる片接点型のコネクタ４３ｂが実装されており、制御基板６には、回路基板側が接点となる片接点型のコネクタ６ａ，６ｂが実装されている。
コネクタ４０ａとコネクタ６ａとが対となっており、フレキシブルフラットケーブル８０で互いに電気的に接続され、コネクタ４３ｂとコネクタ６ｂとが対となっており、フレキシブルフラットケーブル８０で互いに電気的に接続され、フレキシブルフラットケーブル８１で互いに電気的に接続される。
つまり、バックライト基板（第一の回路基板）４０と制御基板（第二の回路基板）６とがフレキシブルフラットケーブル８０で電気的に接続されており、液晶駆動基板（第一の回路基板）４３と制御基板（第二の回路基板）６とがフレキシブルフラットケーブル８１で電気的に接続されている。
【００２６】
また、図３（ｂ）に示すように、バックライト基板４０と制御基板６とは、基板面が互いに平行で、且つ、コネクタ４０ａと６ａの向きが互いに正対せず斜向かいに位置している。
バックライト基板４０と制御基板６とを接続するフレキシブルフラットケーブル８０は、配線のピッチ方向（フレキシブルフラットケーブル８０の短手方向）に跨いで屈曲するＬ字の屈曲部８００を２箇所有して、コネクタ４０ａとコネクタ６ａとに装着される。
【００２７】
一方、液晶駆動基板４３と制御基板６とは、基板面が互いに垂直で、且つ、コネクタ４３ｂとコネクタ６ｂが向かい合って位置している。
液晶駆動基板４３と制御基板とを接続するフレキシブルフラットケーブル８１は、配線のピッチ方向（フレキシブルフラットケーブル８０の短手方向）に跨いで屈曲するＬ字の屈曲部８１０を１箇所有して、コネクタ４３ｂとコネクタ６ｂとに装着される。
【００２８】
このように構成することで、互いに対となるコネクタ同士が正対しない位置関係にある回路基板同士であっても、ストレートの回路配線であるフレキシブルフラットケーブルで配線が可能となる。
【００２９】
また、図４や図５に示すような変形例として構成してもよい。図４（ａ）および図５（ａ）は回路基板と回路基板同士を接続するフレキシブルフラットケーブルの接続斜視図であり、図４（ｂ）および図５（ｂ）は、フレキシブルフラットケーブルの屈曲部の折り目を示した図である。
図４や図５に示すように、フレキシブルフラットケーブル８０，８１は、山折り谷折りの連続からなる蛇腹状の屈曲部８０１，８１１を有することで、フレキシブルフラットケーブル８０，８１の長手方向の長さを調整可能となる。
これにより、機種バリエーションに応じた設計変更によって、回路基板４０，４３，６の位置関係が変更された場合においても、同一のフレキシブルフラットケーブルによって配線の取り回しが柔軟に行えるので、配線の再設計による負荷を低減することに寄与できる。
【００３０】
また、フレキシブルフラットケーブル８０，８１が有する屈曲部８００，８０１，８１０，８１１は、適宜クリップなどの係止体やケース体２に係止片を設けて、それらによって固定して、振動によってフレキシブルフラットケーブル８０，８１の屈曲部が他の部品に接触することを防止することが望ましい。
【産業上の利用可能性】
【００３１】
本発明は、車両やオートバイ、あるいは農業機械や建築機械を備えた移動体に搭載されるヘッドアップディスプレイ装置として好適である。
【符号の説明】
【００３２】
Ａ      ：ヘッドアップディスプレイ装置
１      ：第１カバー
１０    ：出光部
２      ：ケース体
２０    ：入光部
２１    ：収容部
３      ：反射体
３０    ：平面鏡
３１    ：凹面鏡
３１０  ：駆動ユニット
４      ：光源ユニット
４０    ：バックライト基板（第一の回路基板）
４０ａ  ：コネクタ（第一のコネクタ）
４１    ：反射体
４２    ：液晶パネル
４３    ：液晶駆動基板（第一の回路基板）
４３ｂ  ：コネクタ（第一のコネクタ）
５      ：第２カバー
６      ：制御基板（第二の回路基板）
６ａ    ：コネクタ（第二のコネクタ）
６ｂ    ：コネクタ（第二のコネクタ）
７      ：第３カバー
８０    ：フレキシブルフラットケーブル
８００  ：Ｌ字の屈曲部
８０１  ：蛇腹状の屈曲部
８１    ：フレキシブルフラットケーブル
８１０  ：Ｌ字の屈曲部
８１１  ：蛇腹状の屈曲部
Ｌ      ：表示光
【図１】
2016045388.tif 000003
【図２】
2016045388.tif 000004
【図３】
2016045388.tif 000005
【図４】
2016045388.tif 000006
【図５】
2016045388.tif 000007